(57)【要約】【課題】冷凍空調サイクルの圧力保護装置の、取り付け状態によっては目視で確認しにくい圧力保護装置の作動確認を容易にし、保守管理を容易にすること。【解決手段】冷凍空調サイクルの冷媒圧力と大気との圧力差が一定圧力を超えた場合気密状態を解除し貫通孔３を通じ排気口２から大気に冷媒を排出するように配されたリリーフバルブの弁体９と、前記貫通孔内に配され前記リリーフバルブの弁体９と前記排気口２間に配された染料１１とで構成することにより、冷凍サイクル機器の異常たとえば室外送風機の停止などにより冷媒圧力が所定値を超えリリーフバルブの弁体が作動した際、冷媒とともに染料を外部に放出することになり、冷凍空調サイクル外部に放出された染料を目視することにより、容易に圧力保護装置のリリーフバルブの弁体の作動を確認することができ、保守管理が容易になる。【選択図】図１
2012067931.tif 000002
【特許請求の範囲】
【請求項１】
冷凍空調サイクルの冷媒側に直接接するように配される導入口と、大気に曝されるように配される排気口と、前記導入口と前記排気口を結ぶ貫通孔を配したケースと、前記貫通孔内に配され冷凍空調サイクルの冷媒圧力と大気との圧力差が一定圧力未満の場合前記導入口に密着して冷凍空調サイクルを気密状態とし、前記圧力差が一定圧力を超えた場合気密状態を解除して前記貫通孔を通じ前記排気口から大気に冷媒を排出するように配されたリリーフバルブの弁体と、前記貫通孔内に配され前記リリーフバルブの弁体と前記排気口間に配された染料とで構成した冷凍空調機用圧力保護装置。
【請求項２】
染料の色を着色された冷媒中の冷凍機油と異なる色を用いた請求項１記載の冷凍空調機用圧力保護装置。
【発明の詳細な説明】
【技術分野】
【０００１】
本発明は冷凍空調機に用いられている圧縮機などの保護対象機器を圧力の異常から保護する冷凍空調機用圧力保護装置に関するものである。
【背景技術】
【０００２】
一般にこの種の圧力保護装置は、機器の異常により冷媒圧力が所定値を超えると、機器を保護するために圧力保護装置に内蔵されたリリーフバルブの弁を開き、高圧力の冷媒が圧力保護装置の排気口に貼られた封止体を破壊して外部に放出される。その結果、使用者は封止体の状態を目視にて確認することにより、リリーフバルブの弁の作動すなわち冷媒圧力の異常上昇による冷媒放出の有無を確認することができ、冷凍空調機器の保守管理に有効である（例えば、特許文献１参照）。
【０００３】
図２は、特許文献１に記載された温度・圧力保護装置の取付例を示す断面図である。カバー１３３Ａ  の上面には内外を貫通する排気口１３３Ｃが設けられており、この排気口はその外面側をアルミシールなどの封止体１３３Ｄによって塞がれている。
【０００４】
本保護装置を取り付けられた圧縮機の冷媒圧力が所定値を超えた場合には、圧力保護装置であるリリーフバルブの弁体である温度スイッチ１０３がコイルバネ１０７の押圧力に抗して変位し貫通孔との密着を解除して開くとともに、このようにしてリリーフバルブの弁が開くことで保護装置の金属ケース内に流入した高圧力の冷媒が、封止体１３３Ｄを破壊して排気口１３３Ｃから外部に放出される。そのため本実施例においては封止体１３３Ｄの状態を目視することで弁の動作、つまり冷媒圧力の異常上昇による冷媒の放出の有無を確認することができる。
【先行技術文献】
【特許文献】
【０００５】
【特許文献１】特開２００７−５０３４号公報
【発明の概要】
【発明が解決しようとする課題】
【０００６】
しかしながら、前記従来の構成では、圧力保護装置の取り付け状態によっては、圧力保護装置のリリーフ弁体の作動を示す封止体の破壊の状態を目視で確認することが困難であるという課題があった。例えば圧力保護装置が車両用空調装置の狭い空間で比較的暗くなっている部分に設けられていると確認困難であった。
【０００７】
本発明は、前記従来の課題を解決するもので、圧力保護装置のリリーフ弁の作動の有無を容易に目視にて確認出来る冷凍空調機用圧力保護装置の提供を目的とする。
【課題を解決するための手段】
【０００８】
前記従来の課題を解決するために、本発明の冷凍空調機用圧力保護装置は、リリーフバルブの弁体と排気口との間に染料を配したものである。
【０００９】
これによって、機器の異常により冷媒圧力が所定値を超えリリーフバルブの弁体が作動した際、染料を外部に放出することになり、容易に目視確認可能となる。
【発明の効果】
【００１０】
本発明の冷凍空調機用圧力保護装置は、冷凍空調サイクル外部に放出された染料を目視
にて確認することができるので、容易に圧力保護装置のリリーフバルブの弁体の作動を確認することができ保守管理が容易となる。
【図面の簡単な説明】
【００１１】
【図１】本発明の実施の形態１における圧力保護装置の断面図
【図２】従来例の温度・圧力保護装置の取付例を示す断面図
【発明を実施するための形態】
【００１２】
第１の発明は、冷凍空調サイクルの冷媒側に直接接するように配される導入口と、大気に曝されるように配される排気口と、前記導入口と前記排気口を結ぶ貫通孔を配したケースと、前記貫通孔内に配され冷凍空調サイクルの冷媒圧力と大気との圧力差が一定圧力未満の場合前記導入口に密着して冷凍空調サイクルを気密状態とし、前記圧力差が一定圧力を超えた場合気密状態を解除して前記貫通孔を通じ前記排気口から大気に冷媒を排出するように配されたリリーフバルブの弁体と、前記貫通孔内に配され前記リリーフバルブの弁体と前記排気口間に配された染料とで構成してある。
【００１３】
これにより、冷凍サイクル機器の異常たとえば室外送風機の停止などにより冷媒圧力が所定値を超えリリーフバルブの弁体が作動した際、冷媒とともに染料を外部に放出することとなり、冷凍空調サイクル外部に放出された染料を目視にて確認することにより、容易に圧力保護装置のリリーフバルブの弁体の作動を確認することができ、保守管理が容易になる。
【００１４】
第２の発明は、特に第１の発明の着色された冷凍機油と異なる色の染料を用いることにより、冷凍サイクル外部に付着した染料の色をより容易に目視確認することができ、配管のつなぎ目等からの漏れなのか圧力保護装置のリリーフバルブの弁体が作動したのかを区別することができ、保守管理がさらに容易になる。
【００１５】
以下、本発明の実施の形態について、図面を参照しながら説明する。なお、この実施の形態によって本発明が限定されるものではない。
【００１６】
（実施の形態１）
図１は、本発明の実施の形態１における圧力保護装置の断面図である。
【００１７】
図１において、圧力保護装置のケース５は、冷凍空調サイクルの冷媒側に直接接するように配された導入口１と、大気に曝されるように配された排気口２と、これら導入口１と排気口２を結ぶ貫通孔３を有していて、冷凍空調サイクルの冷媒側と外部の大気側とを隔てる冷凍機器外壁部４に取り付けられている。このケース５内には、その排気口２部分に固定され中央に穴が開いたバネ押さえ６と、前記貫通孔３内の導入口１側に配され前記バネ押さえ６とコイルバネ７と弁体押さえ８によって排気口２を閉塞状態にするリリーフバルブの弁体９が組み込んである。１０はケース５の排気口２側に配された封止体１０で、一定の力以上で破壊することができるものとなっている。１１は前記ケース５の貫通孔３内に封入された染料で、前記リリーフバルブの弁体９と前記封止体１０との間に配してある。
【００１８】
以上のように構成された冷凍空調機用圧力保護装置について、以下その動作、作用を説明する。
【００１９】
冷凍空調サイクルの冷媒圧力と大気との圧力差が一定圧力未満の場合、前記リリーフバルブの弁体９は前記コイルバネ７の弾性力によって押さえつけられ前記導入口１に密着して冷凍空調サイクルを気密状態としている。そして、上記圧力差が一定圧力を超えた場合
、前記リリーフバルブの弁体９は前記導入口１から離れ気密状態を解除する。気密が解除された際、冷凍空調サイクル内の冷媒は前記貫通孔３を通り前記染料１１と共に前記封止体１０を破壊して前記排気口２から大気に放出される。
【００２０】
したがって、使用者は冷凍空調サイクル外部に放出された染料を目視にて確認することになり、暗がり等であっても容易に圧力保護装置のリリーフバルブの弁体の作動を確認することが可能となるので保守管理が容易となる。
【００２１】
ここで、上記染料１１を着色された冷凍機油と異なる色の染料とすることにより、冷凍サイクル外部に付着した染料の色を目視にてより明確に確認することができ、配管のつなぎ目等からの漏れなのか圧力保護装置のリリーフバルブの弁体が作動したのかを区別することができ、保守管理がさらに容易になる。
【００２２】
また、上記染料１１を蛍光色の染料とすれば暗がりでもより明確に確認することができるようになる。
【産業上の利用可能性】
【００２３】
以上のように、本発明にかかる冷凍空調機用圧力保護装置は、冷凍空調サイクル外部に放出された染料を目視にて確認することになるので、容易に圧力保護装置のリリーフバルブの弁体の作動を確認することが可能となり、冷凍空調装置の保守管理が容易となる。
【００２４】
特に、狭い空間で封止体の破壊の状況を確認しにくい車両用空調装置に使用することにより冷凍空調装置の保守管理が容易となる。
【符号の説明】
【００２５】
１  導入口
２  排気口
３  貫通孔
４  冷凍機器外壁部
５  ケース
６  バネ押さえ
７  コイルバネ
８  弁体押さえ
９  リリーフバルブの弁体
１０  封止体
１１  染料
【図１】
2012067931.tif 000003
【図２】
2012067931.tif 000004